(57)【要約】【課題】木目の荒い木材を使用しても卓球ラケットの特性の違い又は性能の優劣が生じない構造を有する卓球ラケット用ブレード及びそれを備えた卓球ラケットを提供し、また、その打球面に複数の異なるスイートエリアを形成し、弾み方の異なる打球を打ち分けることができる卓球ラケット及びそのブレードを提供する。【解決手段】その打球面１１に複数の改質エリアまたは異質材エリア１１１が点在していることを特徴とする卓球ラケット用ブレード及びそれを備えた卓球ラケット、並びに、打球面１１を有する本体１と、該本体１から一体的に延伸してなったグリップ２とからなった卓球ラケット用ブレードにおいて、前記打球面に複数の異質材エリア１１１が点在しており、且つ、該複数の異質材エリア１１１は分布密度が異なる複数の群れに分けられていることを特徴とする卓球ラケット用ブレード及びそれを備えた卓球ラケットを提供する。【選択図】図２
2006346444.tif 000002
【特許請求の範囲】
【請求項１】
その打球面に複数の改質エリアが点在していることを特徴とする卓球ラケット用ブレード。
【請求項２】
打球面を有する本体と、該本体から一体的に延伸したグリップとからなる卓球ラケット用ブレードにおいて、
前記打球面に複数の異質材エリアが点在していることを特徴とする卓球ラケット用ブレード。
【請求項３】
打球面を有する本体と、該本体から一体的に延伸したグリップとからなる卓球ラケット用ブレードにおいて、
前記打球面に複数の異質材エリアが点在しており、且つ、該複数の異質材エリアは分布密度が異なる複数の群れに分けられていることを特徴とする卓球ラケット用ブレード。
【請求項４】
前記異質材エリアは、前記打球面に形成される窪みに、前記本体の材質とは異なる材質を充填したものであることを特徴とする請求項２又は３に記載の卓球ラケット用ブレード。
【請求項５】
前記窪みは、前記本体を貫通した通孔であり、
前記複数の異質材エリア及び前記打球面は、前記本体の両面に設けられていることを特徴とする請求項４に記載の卓球ラケット用ブレード。
【請求項６】
前記窪みは、円柱状に形成され、前記打球面に対して垂直に延伸していることを特徴とする請求項４に記載の卓球ラケット用ブレード。
【請求項７】
前記窪みとこれに隣り合う窪みとの間隔は、卓球ボールの直径より小さいことを特徴とする請求項４に記載の卓球ラケット用ブレード。
【請求項８】
前記本体の構成材及び前記窪みに充填した材質が、木質材からなることを特徴とする請求項４に記載の卓球ラケット用ブレード。
【請求項９】
請求項１〜３のいずれか一項に記載の卓球ラケット用ブレードを備えた卓球ラケット。
【請求項１０】
請求項１〜３のいずれか一項に記載の卓球ラケット用ブレードの前記打球面にシールド層を被覆してなる卓球ラケット。
【請求項１１】
前記シールド層の表面に発泡層を更に被覆してなる請求項１０に記載の卓球ラケット。
【請求項１２】
前記発泡層の表面に弾性層を更に被覆してなる請求項１１に記載の卓球ラケット。
【発明の詳細な説明】
【技術分野】
【０００１】
本発明は、卓球ラケット及び卓球ラケット用ブレードに関し、特に卓球ラケット用ブレードにおける打球面の構造改良に関する。
【背景技術】
【０００２】
従来の卓球ラケット用ブレードは、通常、木材からなっている。木材には、多種多様のものがあるが、すべての木材には木目があり、打球面上をシールド層や発泡層、弾性層で被覆したとしても、木目によって生じる卓球ラケットの特性を完全になくすことができないので、卓球ラケットごとに異なった特性を持ち、その性能に優劣が生じてしまう。このため、卓球ラケット用ブレードを製作するには、木目の細かい木材を選択して前記特性の違いや性能の優劣をなるべく生じないようにすることが必要となる。しかし、木目の細かい木材はその硬度や弾性をも考慮に入れると、種類が非常に限られたものとなる。木目の細かい木材の例としては、檜が挙げられるが、檜の伐採量は日に日に減少しその値段も高価であるので、檜を卓球ラケットの一般的な材料とすることは困難な状況にある。
【０００３】
ところで、卓球大会の時に試合をする場合には、カット打ちやツッツキ打ちなどを駆使してサーブや攻撃を巧妙に行うことが常に必要となる。しかし、このような技術は、長期の訓練を受けなければ習熟することができないので、たいていの卓球選手は、卓球ラケットの構造自体が少しでも前記技術の習熟を補助するように構成されていれば良いと考える。
【発明の開示】
【発明が解決しようとする課題】
【０００４】
上記に鑑みて、本発明は、木目の荒い木材を使用しても卓球ラケットの特性の違い又は性能の優劣が生じない構造を有する卓球ラケット用ブレード及びそれを備えた卓球ラケットを提供しようとすることを、その第１の目的とする。
【０００５】
また、その打球面に複数の異なるスイートエリアを形成し、弾み方の異なる打球を打ち分けることができる卓球ラケット及びそのブレードを提供しようとすることを、その第２の目的とする。
【課題を解決するための手段】
【０００６】
前記目的を達成するために、まず、本発明は、その打球面に複数の改質エリアが点在していることを特徴とする卓球ラケット用ブレード及びそれを備えた卓球ラケットを提供する。
【０００７】
前記「改質エリア」とは、異質材エリアとも言えるが、そのエリアの範囲内の材質が周囲の卓球ラケット用ブレードのもともとの材質と少しでも異なるようなエリア、例えば、物理加工や化学加工によって、そのエリア内における卓球ラケット用ブレードのもともとの材質を変化させて形成されたもの及びその予定の位置に窪みを形成してから完全な異質材を嵌め入れて形成されたものなどを言う。
【０００８】
また、本発明は、打球面を有する本体と、該本体から一体的に延伸したグリップとからなる卓球ラケット用ブレードにおいて、前記打球面に複数の異質材エリアが点在しており、且つ、該複数の異質材エリアは分布密度が異なる複数の群れに分けられていることを特徴とする卓球ラケット用ブレード及びそれを備えた卓球ラケットを提供する。
【発明の効果】
【０００９】
前記構成による卓球ラケット用ブレードを備えた卓球ラケットは、その卓球ラケット用ブレードの打球面に複数の改質エリア又は異質材エリアが点在しているので、卓球ラケット用ブレードのもともとの木目が荒くても、前記複数の改質エリアが木目の延伸を中断するため、卓球ラケットの特性に著しい違いが生じたりすることがなく、また、その性能に著しい優劣が生じたりすることがない。
【００１０】
また、前記のように、前記卓球ラケット用ブレードにおける打球面にある前記複数の改質エリア又は異質材エリアが、更に分布密度の異なる複数の群れに分けられていれば、前記分布密度の異なる複数の群れごとにスイートエリアがそれぞれ形成されるので、各スイートエリアに卓球ボールが当たった場合、打球面における卓球ボールの弾み方はそれぞれ異なるため、弾み方の異なった打球を打ち分けることが可能となる。
【発明を実施するための最良の形態】
【００１１】
以下、本発明に関する卓球ラケット及び卓球ラケット用ブレードの好適な実施形態について、図面を参照しながら説明する。なお、図中、類似部分には同一の参照符号を付している。
【００１２】
まず、図１、図２及び図３を参照しながら、本発明の第１実施形態に係る卓球ラケットについて説明する。
【００１３】
図１及び図２は、本発明の第１実施形態に係る卓球ラケットにおける卓球ラケット用ブレードの正面図である。これらの図面を参照すると、この卓球ラケット用ブレードは、本体１と該本体１から一体的に延伸したグリップ２とからなる。該本体１は、その正面に打球面１１が設けられているうえ、該打球面１１に更に改質エリア１１１が点在している。
【００１４】
そして、図３は、本発明の第１実施形態に係る卓球ラケットの部分拡大断面図である。この卓球ラケットは、前記卓球ラケット用ブレードの打球面１１にシールド層４を被覆してから、該シールド層４の表面に発泡層５を、該発泡層５の表面に更に弾性層６を被覆してなるものである。
【００１５】
より詳しく説明すると、図１における卓球ラケット用ブレードの改質エリア１１１の点在は、図２のものと若干相違する。即ち、前者では、隣り合う各改質エリア１１１の相互間の間隔が卓球ボールの直径より小さく、改質エリア１１１がその打球面１１に均一に点在しており（以下、「典型例」と称する。）、後者では、改質エリア１１１が前記のように点在するうえ、さらに分布密度が異なる複数の群れに分けられている（以下、変形例と称する）。
【００１６】
前記典型例のブレードを有する卓球ラケットは、その卓球ラケット用ブレードの打球面１１に複数の改質エリア１１１が点在しているので、卓球ラケット用ブレードのもともとの木目が荒くても、木目の延伸が前記複数の改質エリア１１１に中断されるため、卓球ラケットの特性に違いが生じず、その性能に優劣が生じないという長所がある。
【００１７】
そして、前記変形例のブレードを有する卓球ラケットは、その卓球ラケット用ブレードにおける打球面１１にある複数の改質エリア１１１が、典型例のように点在しているうえ、更に分布密度が異なる上下二つの群れに分けられ、スイートエリアが二つ形成されるので、各スイートエリアに卓球ボールが当たった場合、打球面１１における卓球ボールの弾み方はそれぞれ異なり、弾み方の異なった打球を打ち分けることが可能となる。なお、前記複数の改質エリア１１１の群れの分割数は、二つに限られず、三つ、四つなど必要に応じて増やすことができる。
【００１８】
前記典型例の改質エリア１１１及び変形例の改質エリア１１１は、複数の通孔が点在している薄膜でその打球面１１を被覆した後、酸で複数の通孔に露出している部分を腐食してその木目を破壊し材質を変化させる方法によって形成されるが、他に、例えば、複数の紫外線光束を照射する方法によっても良い。
【００１９】
次に、図４及び図５を参照しながら、本発明の第２実施形態に係る卓球ラケットについて説明する。
【００２０】
図４は、本発明の第２実施形態に係る卓球ラケットにおける卓球ラケット用ブレードの正面図である。この図面を参照すると、この卓球ラケット用ブレードは、本体３と該本体３から一体的に延伸したグリップ２とからなる。該本体３は、その正面に打球面３１が設けられているうえ、該打球面３１に複数の異質材エリア３１２が点在している。
【００２１】
図５をも参照すると、複数の異質材エリア３１２は、その上面が本体３の正面と同一面になっているが、本体３の正面には、もともと複数の窪み３１１が形成され、複数の異質材エリア３１２は、前記複数の窪み３１１に本体３の材質と異なる材質を充填したものである。
【００２２】
図５は、本発明の第２実施形態に係る卓球ラケットにおける卓球ラケット用ブレードの典型例の部分拡大断面図である。この図面を参照すると、この卓球ラケット用ブレードは、打球面３１を片面だけに有する片面型ラケットに適するものであって、その異質材エリア３１２は、円柱状に形成され、本体３の正面から背面の方へ向かって、ブレードの厚さの半分位まで垂直に延伸している。即ち、ブレードの打球面３１に抉りを施す場合、窪み３１１を円柱状の有底窪みにすれば良い。正面及び背面の両面とも打球面３１になる両面型ラケットに適用しようとすれば、図６の変形例に示すように、その異質材エリア３１２を、円柱状に形成し、且つ、本体３の正面から背面まで延伸させれば良い。即ち、ブレードの打球面３１に抉りを施す時、窪み３１１を円柱状の通孔にすれば良い。当然、図５に示す方式、即ち、抉り作業でブレードの両面にそれぞれ円柱状の有底窪みを形成してから充填作業を行う方式を両面型ラケットに適用しても良い。一方、抉り作業を行わずに、前記第１実施形態に開示した腐食法または紫外線照射法などの方法を使用しても良い。第２実施形態に係る卓球ラケットの他の構造やブレードにおける異質材エリア３１２の分布は、前記第１実施形態と同一であるので、その説明を省略する。
【００２３】
前記異質材エリア３１２は、打球面３１上の予定位置に複数の窪み３１１を形成し、そして前記複数の窪み３１１から抉り出した木屑を粉末化してから樹脂を添加、混合し、複数の窪みにそれぞれ嵌め入れて、硬化させたものである。
【００２４】
ここで、異質材エリア３１２と称するが、ブレードのもともとの材料を加工したものを使用したので、改質エリアとも言える。また、まったく異なる材質、例えば樹脂や繊維強化樹脂などを当然使用しても良い。とにかく、異質材エリア３１２は、その点在で卓球ラケット用ブレードの木目を途中で分割し、その延伸を中断することができるものであれば、そのエリアの範囲外の卓球ラケット用ブレードのもともとの材質と少しだけ異なれば良い。言い換えれば、改質材エリアと言え、または異質材エリアと言え、そのエリアの範囲内の材質が周囲の卓球ラケット用ブレードのもともとの材質と少しでも異なれば良く、両者は殆ど意味を同じくしている。
【００２５】
以上説明した実施形態は、あくまでも本発明の技術的内容を明らかにする意図のもとにおいて開示されたものであり、本発明はそうした具体例に限定して狭義に解釈されるものではなく、本発明の精神とクレームに述べられた範囲で様々に変更して実施できるものである。
【産業上の利用可能性】
【００２６】
前記のように、本発明による卓球ラケット用ブレードを備えた卓球ラケットは、製作時に木目の荒い木材を使用することができるので、製造が容易であるうえ、コストも従来のものに比べて安価なものとなる。
【００２７】
また、前記のように、前記卓球ラケット用ブレードにおける打球面にある複数の改質エリアまたは異質材エリアが、更に分布密度の異なる複数の群れに分けられているので、卓球大会の時に、それらを利用してカット打ちやツッツキ打ちを駆使し、弾み方の異なった打球を打ち分けることが容易となる。
【図面の簡単な説明】
【００２８】
【図１】本発明の第１実施形態に係る卓球ラケット用ブレードの典型例の正面図である。
【図２】本発明の第１実施形態に係る卓球ラケット用ブレードの変形例の正面図である。
【図３】本発明の第１実施形態に係る卓球ラケットの部分拡大断面図である。
【図４】本発明の第２実施形態に係る卓球ラケット用ブレードの正面図である。
【図５】本発明の第２実施形態に係る卓球ラケット用ブレード（打球面を片面だけに有する）の典型例の部分拡大断面図である
【図６】本発明の第２実施形態に係る卓球ラケット用ブレード（打球面を両面に有する）の変形例の部分拡大断面図である。
【符号の説明】
【００２９】
１，３  本体
２  グリップ
１１，３１  打球面
１１１  改質エリア
３１１  窪み
３１２  異質材エリア
４  シールド層
５  発泡層
６  弾性層
【図１】
2006346444.tif 000003
【図２】
2006346444.tif 000004
【図３】
2006346444.tif 000005
【図４】
2006346444.tif 000006
【図５】
2006346444.tif 000007
【図６】
2006346444.tif 000008